(57)【要約】【課題】用紙等の搬送シートの種類や状態によらず、搬送路を通過するシートをより正確な通過タイミングで精度よく検知可能とする。【解決手段】搬送原稿（搬送シート）４３を上下ガイド板（案内部材）５０、５１でガイドして原稿搬送路２５を通して搬送するとともに、その原稿搬送路を通過する搬送原稿をレジストセンサ（検知手段）３６で検知する。そのような搬送シート検知装置において、原稿搬送路を通過する搬送原稿を、レジストセンサによる検知位置またはその近傍で、下ガイド板５１に押し付ける弾性フィルム（シート押さえ部材）５２が、原稿搬送路に備えられている。【選択図】図２
2009256054.tif 000002
【特許請求の範囲】
【請求項１】
搬送シートを案内部材でガイドして搬送路を通して搬送するとともに、その搬送路を通過する搬送シートを検知手段で検知する搬送シート検知装置において、
前記搬送路を通過する搬送シートを、前記検知手段による検知位置またはその近傍で、前記案内部材に押し付けるシート押さえ部材が、前記搬送路に備えられていることを特徴とする搬送シート検知装置。
【請求項２】
前記シート押さえ部材が弾性フィルムであることを特徴とする、請求項１に記載の搬送シート検知装置。
【請求項３】
前記シート押さえ部材が回動アームであることを特徴とする、請求項１に記載の搬送シート検知装置。
【請求項４】
前記シート押さえ部材のシート搬送方向上流端が、前記搬送シートに触れないように支持されていることを特徴とする、請求項１ないし３のいずれか１に記載の搬送シート検知装置。
【請求項５】
前記シート押さえ部材のシート搬送方向下流端も、前記搬送シートに触れないように支持されていることを特徴とする、請求項４に記載の搬送シート検知装置。
【請求項６】
前記シート押さえ部材が、回動アームの先端に回転可能に取り付けられた押さえコロであることを特徴とする、請求項１に記載の搬送シート検知装置。
【請求項７】
前記押さえコロがスポンジで構成されていることを特徴とする、請求項６に記載の搬送シート検知装置。
【請求項８】
シートを押さえ付ける方向に前記回動アームを付勢する付勢部材が備えられていることを特徴とする、請求項３、６および７のいずれか１に記載の搬送シート検知装置。
【請求項９】
請求項１ないし８のいずれか１に記載の搬送シート検知装置が備えられていることを特徴とする、シート搬送装置。
【発明の詳細な説明】
【技術分野】
【０００１】
この発明は、原稿、用紙、樹脂フィルム等の搬送シートをガイド板等の案内部材でガイドして搬送路を通して搬送するとともに、その搬送路を通過する搬送シートを検知手段で検知する搬送シート検知装置に関する。および、そのような搬送シート検知装置が備えられており、用紙、樹脂フィルム等の搬送シートに画像を記録する複写機、プリンタ、ファクシミリ等の画像形成装置や、搬送シートである原稿を搬送してその画像情報を読み取る原稿搬送画像読取装置など、シートを搬送するシート搬送装置に関する。
【背景技術】
【０００２】
従来、画像形成装置や原稿搬送画像読取装置などシート搬送装置に備えられている搬送シート検知装置では、例えば図８に示すように、平行に設けられている一対の上下ガイド板１、２で搬送路３が形成されており、上下ガイド板１、２には、各々不図示のローラ孔が対向してあけられてそれらのローラ孔を通して搬送ローラ対４が圧接して設置され、また検知位置では検知孔５、６が対向してあけられて上ガイド板１の検知孔５上に検知手段７が取り付けられている。
【０００３】
そして、この種のシート搬送装置では、上下のガイド板１、２でガイドして搬送シート８を搬送ローラ対４で搬送路３を通して矢印ａ方向に搬送し、その搬送路３を通して搬送する搬送シート８を所定検知位置で検知手段７により検知し、搬送シート８の搬送タイミングに同期して、例えば画像形成動作や画像読取動作などを開始する。
【０００４】
ところで、このような搬送シート検知装置では、従来、検知手段７として光センサが使用されている。光センサは、光を検知媒体とする投受光器からなり、投光器からの光を受光器で受光することで遮蔽物有無が検出される。検知位置に遮蔽物があれば、投光器からの光が受光器で受光できないので遮蔽物有りと判断される。
【０００５】
このような構成において、搬送シート８の先端部が検知位置を通過すると、搬送シート８によって投光器からの光が遮蔽されて受光器により光を受光できなくなる。このことから、光の受光レベルの変化を検知することで、搬送シート８の通過タイミングを検出している。また、搬送シート８の後端部が検知位置を通過すると、投光器からの光が受光器により受光されることから、この光の受光レベルの変化を検知することで、搬送シート８の通過タイミングを検出している。
【０００６】
しかし、一般的に光センサにはヒステリシス特性があり、検知手段７の検知範囲は、図８において符号Ｌで示すように、搬送シート８の厚さ方向で幅が変化する。したがって、搬送シート８にカールがあった場合の検出位置が異なる。具体的には、例えば、図９の上に示すように、搬送シート８が搬送路内中央を通過した場合、搬送ローラ対４の通過から検知手段７による先端検知までの距離はＬ１となるが、図９の下に示すように、搬送シート８がカールしていると、搬送路３内片側に沿って通過した場合、搬送ローラ対４の通過から検知手段７による先端検知までの距離はＬ２となる。このＬ１とＬ２との差が画像形成や画像読取において画像ズレを生じさせる原因となる。
【０００７】
このような問題に対し、搬送シートの通過タイミングを正確に検知するための技術として特許文献１に記載されている発明が公開されている。これは、導電性を有し、用紙の搬送路所定位置に設置された固定切片と、搬送路上所定位置に突出して設けられ、固定切片に接触するように配置された２個の導電性可動切片を持つことにより、導電部に流れる電流を検知して用紙の通過状態を判断するものである。
【０００８】
【特許文献１】特開２００６−６９７０１号公報
【特許文献２】特許第３８４６８９４号公報
【発明の開示】
【発明が解決しようとする課題】
【０００９】
ところが、このような検出機構にあっては、導電性切片を配設する必要があり、搬送路上に切片を配設することで装置が大型化するおそれがあった。また、切片自体の大きさや取付位置誤差により検出タイミングにバラツキが発生する問題があった。さらに、用紙カールに対する検出位置の精度向上は見込めなかった。
【００１０】
そこで、この発明の第１の目的は、このような事情に鑑みてなされたものであり、用紙等の搬送シートの種類や状態によらず、搬送路を通過するシートをより正確な通過タイミングで精度よく検知可能とすることにある。
【００１１】
この発明の第２の目的は、搬送シートを案内部材に押し付けるシート押さえ部材を簡単につくり、容易に組み付けることができるようにすることにある。
【００１２】
この発明の第３の目的は、シート押さえ部材を簡単につくり、容易に組み付け、搬送シートをしっかりと安定的に押さえ付けることができるようにすることにある。
【００１３】
この発明の第４の目的は、ジャムを生ずる心配なく、搬送シートを検知位置まで安定的に搬送することにある。
【００１４】
この発明の第５の目的は、ジャム発生時等に、搬送路にあるジャム紙をシート搬送方向と逆方向に引き抜くとき、引き抜くジャム紙がシート押さえ部材のシート搬送方向下流端に引っ掛かるおそれをなくして、シート押さえ部材を損傷する心配がないとともに、ジャム処理を容易とすることにある。
【００１５】
この発明の第６の目的は、搬送シートが案内部材に押し付けられて搬送されることにより、搬送シートの搬送負荷が増大することを防止することにある。
【００１６】
この発明の第７の目的は、搬送シートの厚さが厚かったり、カール癖が大きかったりしても、搬送シートを案内部材に確実に押し付けて検知手段による搬送シートの検知精度を高めることにある。
【課題を解決するための手段】
【００１７】
このため、請求項１に記載の発明は、原稿、用紙、樹脂フィルム等の搬送シートをガイド板等の案内部材でガイドして搬送路を通して搬送するとともに、その搬送路を通過する搬送シートを光センサ等の検知手段で検知する搬送シート検知装置において、
前記搬送路を通過する搬送シートを、前記検知手段による検知位置またはその近傍で、前記案内部材に押し付けるシート押さえ部材が、前記搬送路に備えられていることを特徴とする。
【００１８】
そして、搬送シートが案内部材でガイドされて搬送路を通して搬送されるとき、搬送路を通過する搬送シートが、検知手段による検知位置またはその近傍で、シート押さえ部材で案内部材に押し付けられて搬送され、検知位置で検知手段により検知される。
【００１９】
請求項２に記載の発明は、請求項１に記載の搬送シート検知装置において、前記シート押さえ部材が弾性フィルムであることを特徴とする。そして、搬送シートが検知位置またはその近傍を通過するとき、弾性フィルムよりなるシート押さえ部材をたわませて、その弾性反力を受けて案内部材に押し付けられて搬送される。
【００２０】
請求項３に記載の発明は、請求項１に記載の搬送シート検知装置において、前記シート押さえ部材が回動アームであることを特徴とする。そして、搬送シートが検知位置またはその近傍を通過するとき、回動アームよりなるシート押さえ部材を自重などによる回動習性に抗して回動して、その回動アームの回動習性に基づき案内部材に押し付けられて搬送される。
【００２１】
請求項４に記載の発明は、請求項１ないし３のいずれか１に記載の搬送シート検知装置において、前記シート押さえ部材のシート搬送方向上流端が、前記搬送シートに触れないように、例えば案内部材に取り付けられて支持されていることを特徴とする。そして、案内部材でガイドされて搬送路を通して搬送される搬送シートが、シート押さえ部材のシート搬送方向上流端に触れることなく、シート押さえ部材の中間に接して、そのシート押さえ部材により案内部材に押し付けられて検知手段による検知位置を通過する。
【００２２】
請求項５に記載の発明は、請求項４に記載の搬送シート検知装置において、前記シート押さえ部材のシート搬送方向下流端も、前記搬送シートに触れないように、例えば案内部材に取り付けられて支持されていることを特徴とする。そして、検知位置を通過したシートが、シート押さえ部材のシート搬送方向下流端にも触れることなくそのまま搬送されるようになっている。
【００２３】
請求項６に記載の発明は、請求項１に記載の搬送シート検知装置において、前記シート押さえ部材が、回動アームの先端に回転可能に取り付けられた押さえコロであることを特徴とする。そして、搬送シートが検知位置またはその近傍を通過するとき、押さえコロを介して回動アームを回動して、押さえコロと案内部材の間に入れられ、回動アームの回動習性に基づき押さえコロによって案内部材に押し付けられて搬送される。
【００２４】
請求項７に記載の発明は、請求項６に記載の搬送シート検知装置において、前記押さえコロがスポンジで構成されていることを特徴とする。そして、搬送シートが検知位置またはその近傍を通過するとき、スポンジで構成されている押さえコロを介して回動アームを回動して、押さえコロと案内部材の間に入れられ、回動アームの回動習性に基づき押さえコロによって搬送シートが案内部材に押し付けられて搬送される。
【００２５】
請求項８に記載の発明は、請求項３、６および７のいずれか１に記載の搬送シート検知装置において、シートを押さえ付ける方向に前記回動アームを付勢する付勢部材が備えられていることを特徴とする。そして、搬送シートが検知位置またはその近傍を通過するとき、付勢部材による回動習性に抗して回動アームを回動して、その回動アームに加えられる付勢部材による回動習性に基づき案内部材に押し付けられて搬送される。
【００２６】
請求項９に記載の発明は、請求項１ないし８のいずれか１に記載の搬送シート検知装置が備えられていることを特徴とする、画像形成装置や原稿搬送画像読取装置などのシート搬送装置である。そして、搬送シートが案内部材でガイドされて搬送路を通して搬送されるとき、搬送路を通過する搬送シートが、検知手段による検知位置またはその近傍で、シート押さえ部材で案内部材に押し付けられて搬送され、検知位置で検知手段により検知される。
【発明の効果】
【００２７】
請求項１に記載の発明によれば、検知位置またはその近傍で搬送シートがシート押さえ部材によって押し付けられて案内部材に沿って搬送されるので、シート厚さやカール状態などの、シートの種類や状態に関係なく、搬送路を通過するシートを搬送路の片側に寄せて、検知位置において検知手段により常に同一の搬送条件で精度良く検知することができる。
【００２８】
請求項２に記載の発明によれば、シート押さえ部材が弾性フィルムであるので、シート押さえ部材を簡単につくり、容易に取り付けることができる。
【００２９】
請求項３に記載の発明によれば、シート押さえ部材が回動アームであるので、シート押さえ部材を簡単につくり、容易に取り付け、簡単には変形しない回動アームで搬送シートをしっかりと安定的に押さえ付けることができる。
【００３０】
請求項４に記載の発明によれば、案内部材でガイドされて搬送路を通して搬送される搬送シートが、シート押さえ部材のシート搬送方向上流端に触れることなく、検知手段による検知位置に搬送されるので、搬送シートがシート押さえ部材のシート搬送方向上流端に引っ掛かってジャムを生ずる心配がなく、搬送シートを検知位置まで安定的に搬送することができる。
【００３１】
請求項５に記載の発明によれば、検知位置を通過したシートが、シート押さえ部材のシート搬送方向下流端にも触れることなくそのまま搬送されるようになっているので、ジャム発生時等に、搬送路にあるジャム紙をシート搬送方向と逆方向に引き抜くときにも、引き抜くジャム紙がシート押さえ部材のシート搬送方向下流端に引っ掛かるおそれがなく、シート押さえ部材を損傷する心配がないとともに、またジャム処理を容易とすることができる。
【００３２】
請求項６に記載の発明によれば、シート押さえ部材が、回動アームの先端に回転可能に取り付けられた押さえコロであり、その回動可能な押さえコロによって搬送シートが案内部材に押し付けて搬送されるので、搬送シートの搬送負荷を低減することができる。
【００３３】
請求項７に記載の発明によれば、搬送シートが、スポンジで構成されている押さえコロによって案内部材に押し付けられて搬送されるので、押さえコロの変形を大きくして搬送シートに対する押さえコロの接触面積を多くし、押さえコロによって広い範囲で搬送シートを確実に押さえ付けて案内部材に沿わせて搬送し、検知手段による搬送シートの検知精度を高めることができる。
【００３４】
請求項８に記載の発明によれば、付勢部材によっても回動アームに回動習性が付与されているので、厚さの厚いシートやカールの大きなシートなどでも、搬送シートを確実に押さえ付けて案内部材に沿わせて搬送し、検知手段による搬送シートの検知精度を高めることができる。
【００３５】
請求項９に記載の発明によれば、検知位置またはその近傍で搬送シートがシート押さえ部材によって押し付けられて案内部材に沿って搬送されるので、シート厚さやカール状態などの、シートの種類や状態に関係なく、搬送路を通過するシートを搬送路の片側に寄せて、検知位置において検知手段により常に同一の搬送条件で精度良く検知することができる。
【発明を実施するための最良の形態】
【００３６】
以下、図面を参照しつつ、この発明の実施の最良形態につき説明する。
図１には、この発明による搬送シート検知装置が備えられているシート搬送装置の一例として、原稿搬送画像読取装置を示す。図示の原稿搬送画像読取装置は、不図示の複写機本体上に搭載する画像読取装置１００と、その上に取り付ける自動原稿搬送装置（ＡＤＦ装置）２００とからなる。
【００３７】
画像読取装置１００には、筐体１０の上面に、四角い大判のコンタクトガラス１１を固定するとともに、その片側に沿って細長いスリットガラス１２が設置されている。筐体１０内には、光源１３と第１反射板１４を搭載する第１走行体、第１反射板や第２反射板などを搭載する不図示の第２走行体、不図示のレンズユニット、不図示の固体撮像素子（ＣＣＤ）などが備えられている。
【００３８】
他方、自動原稿搬送装置２００は、画像読取装置１００上に、背面側の水平支軸を中心に回動して正面側が上下に開閉可能に設けられている。図示の自動原稿搬送装置２００には、右側に原稿載置台２０と排紙トレイ２１とが上下二段に備えられている。原稿載置台２０には、押し上げレバー２２が実線で示すように設けられて支軸２２ａを中心として鎖線で示すように回動可能に備えられ、その先端と対向して原稿載置台２０上には、呼出コロ２３が組み付けられている。そして、左側のＡＤＦ筐体２４内には、原稿載置台２０の先端から湾曲して折り返し、自動原稿搬送装置２００を閉じたときにスリットガラス１２上となる位置を通り、排紙トレイ２１に至る原稿搬送路２５が形成されている。
【００３９】
原稿搬送路２５に沿って、入口には、時計まわりに回転する給紙ローラ２６と、付勢バネ２７により付勢されるテンションローラ２８とに掛けまわされて給紙ベルト３０が張り渡され、その給紙ベルト３０に下からリバースコロ３１が押し当てられている。リバースコロ３１は、一定以上の負荷のときには、給紙ベルト３０に連れまわりするが、一定以下の負荷となったときには、逆回転して時計まわりに回転するようになっている。それらの下流には、第１搬送駆動ローラ３２と第１搬送従動ローラ３３とが圧接されて備えられ、引き続いて第２搬送駆動ローラ３４と第２搬送従動ローラ３５とが圧接されて備えられている。続いて、スリットガラス１２の手前となる位置には、光センサよりなるレジストセンサ３６が設けられている。
【００４０】
読取位置の下流には、第３搬送駆動ローラ３７と第３搬送従動ローラ３８とが圧接されて備えられ、そのすぐ下流に光センサよりなる排紙センサ４０が設けられている。排紙センサ４０の下流には、原稿搬送路２５の出口に排紙駆動ローラ４１と排紙従動ローラ４２とが圧接されて設置されている。
【００４１】
そして、ブック原稿や一枚ものの原稿のコピーを取るときなどには、自動原稿搬送装置２００を開いてコンタクトガラス１１上に原稿を載置し、自動原稿搬送装置２００を閉じてその自動原稿搬送装置２００で原稿の浮き上がりを押さえ、複写機本体のスタートスイッチを押してコピーを開始する。すると、第１走行体および第２走行体がコンタクトガラス１１に沿って往復動されてコンタクトガラス１１を透して光源１３からの光が原稿面に照射され、その反射光が第１反射板１４や第２反射板や第３反射板で反射されてレンズユニットに入れられ、結像されて固体撮像素子で電気信号に変換される。そして、原稿面が走査されて原稿面の画像情報が読み取られ、読取信号として送られて複写機本体で画像形成される。
【００４２】
コピーを取るものが複数枚のシート原稿であるときなどには、図１に示すように、原稿載置台２０上に、搬送シートである原稿４３を積載して原稿束をセットする。そして、複写機本体のスタートスイッチを押して不図示のモータを駆動し、その駆動が不図示のギアやベルトなどを介して伝達されて、呼出コロ２３、給紙ローラ２６、リバースコロ３１、第１搬送駆動ローラ３２、第２搬送駆動ローラ３４、第３搬送駆動ローラ３７、排紙駆動ローラ４１などが回転される。
【００４３】
同時に、押し上げレバー２２が鎖線で示すように回動されて原稿束の先端側が押し上げられ、呼出コロ２３に接触して最上位の原稿４３から原稿搬送路２５に送り込まれ、給紙ローラ２６とリバースコロ３１とで一枚ずつ分離されて給紙され、第１搬送駆動ローラ３２と第１搬送従動ローラ３３間、第２搬送駆動ローラ３４と第２搬送従動ローラ３５間を通して搬送され、レジストセンサ３６で原稿４３の先端が検知されて後、読取位置であるスリットガラス１２上に搬送される。原稿４３の先端がレジストセンサ３６により検知されると、その検知情報がコントローラに出力されるようになっている。
【００４４】
読取位置を通過する原稿４３には、あらかじめ読取位置に移動している第１走行体の光源１３からの光が照射され、その反射光が第１反射板１４や第２反射板や第３反射板で反射されてレンズユニットに入れられ、結像されて固体撮像素子で電気信号に変換され、原稿面の画像情報が読み取られて読取信号として送られ、複写機本体で画像形成される。
【００４５】
読取位置通過後の原稿４３は、第３搬送駆動ローラ３７と第３搬送従動ローラ３８間を通して搬送されて排紙駆動ローラ４１と排紙従動ローラ４２間を通して排出されて排紙トレイ２１上にスタックされる。このとき、原稿４３の後端が排紙センサ４０により検知されると、その検知情報がコントローラに出力されるようになっている。
【００４６】
図２には、図１に示す原稿搬送画像読取装置に備えられている搬送シート検知装置を示し、（Ａ）は、検知手段であるレジストセンサ３６位置を原稿搬送方向と直交する方向から見た図であり、（Ｂ）は、原稿搬送方向下流側から見た図である。
【００４７】
図示するように、平行に設けられている一対の案内部材である上下ガイド板５０、５１で、それらの間に原稿搬送路２５が形成されている。上下ガイド板５０、５１には、各々不図示のローラ孔が対向してあけられてそれらのローラ孔を通して、第２搬送駆動ローラ３４と第２搬送従動ローラ３５とが圧接して設置される。第２搬送駆動ローラ３４および第２搬送従動ローラ３５は、ともにローラ軸３４ａ、３５ａを中心として回動可能に設けられている。また、上下ガイド板５０、５１には、検知位置で検知孔５０ａ、５１ａが対向してあけられており、上ガイド板５０の検知孔５０ａ上にレジストセンサ３６が取り付けられている。
【００４８】
ところで、上ガイド板５０の内面には、検知位置の上流で、第２搬送駆動ローラ３４と第２搬送従動ローラ３５との圧接位置近くに、凹部５０ｂが形成されている。そして、その凹部５０ｂ内の傾斜面に、シート押さえ部材として、帯状の弾性フィルム５２の上流端が接着等で取り付けられている。弾性フィルム５２は、マイラー（登録商標）等よりなり、その下流端を検知位置までのばしている。
【００４９】
そして、搬送シートである原稿４３が、第２搬送駆動ローラ３４および第２搬送従動ローラ３５により、案内部材である上下ガイド板５０、５１でガイドされて原稿搬送路２５を通して搬送されるとき、原稿搬送路２５を通過する原稿４３が、検知手段であるレジストセンサ３６による検知位置で、シート押さえ部材である弾性フィルム５２をたわませて、その弾性反力で下ガイド板５１に押し付けられて搬送され、検知位置でレジストセンサ３６により検知される。
【００５０】
よって、検知位置で原稿４３が弾性フィルム５２によって押し付けられて下ガイド板５１に沿って搬送されるので、原稿４３の厚さやカール状態などの、原稿４３の種類や状態に関係なく、原稿搬送路２５を通過する原稿４３を原稿搬送路２５の片側に寄せて、検知位置においてレジストセンサ３６により常に同一の搬送条件で精度良く検知することができる。なお、弾性フィルム５２で原稿４３を下ガイド板５１に押し付ける位置は、原稿搬送方向において正確に検知位置である必要はなく、検知位置の近傍であってもよい。
【００５１】
ところで、この図２に示す例のように、弾性フィルム５２の原稿搬送方向上流端が凹部５０ｂ内に入り込んで、搬送原稿４３に触れないように支持されていると、上下ガイド板５０、５１でガイドされて原稿搬送路２５を通して搬送される原稿４３が、弾性フィルム５２の原稿搬送方向上流端に触れることなく、レジストセンサ３６による検知位置に搬送されるので、原稿４３が弾性フィルム５２の原稿搬送方向上流端に引っ掛かってジャムを生ずる心配がなく、原稿４３を検知位置まで安定的に搬送することができる。
【００５２】
図３には、搬送シート検知装置の他例を示し、検知手段であるレジストセンサ３６位置を原稿搬送方向と直交する方向から見た図である。
この図３に示す例では、上ガイド板５０の内面に、検知位置の上流で、第２搬送駆動ローラ３４と第２搬送従動ローラ３５との圧接位置近くに、凹部５０ｂが形成されるとともに、検知位置の下流側にも別の凹部５０ｃが形成されている。そして、帯状の弾性フィルム５２の上流端が凹部５０ｂ内に接着等で取り付けられるとともに、その弾性フィルム５２の下流端が凹部５０ｃ内に接着等で取り付けられている。
【００５３】
このようにして、弾性フィルム５２の原稿搬送方向上流端とともに下流端も、搬送原稿４３に触れないように支持されており、検知位置を通過した原稿４３が、弾性フィルム５２で押さえ付けられて後、原稿搬送方向下流端にも触れることなくそのまま搬送されるようになっている。よって、ジャム発生時等に、原稿搬送路２５にあるジャム紙を原稿搬送方向と逆方向に引き抜くときにも、引き抜くジャム紙が弾性フィルム５２の原稿搬送方向下流端に引っ掛かるおそれがなく、弾性フィルム５２を損傷する心配がないとともに、ジャム処理を容易とすることができる。
【００５４】
図４には、搬送シート検知装置のさらに他例を示し、（Ａ）は、検知手段であるレジストセンサ３６位置を原稿搬送方向と直交する方向から見た図であり、（Ｂ）は、原稿搬送方向下流側から見た図である。
【００５５】
この例では、シート押さえ部材として、上述した例の弾性フィルム５２に代えて回動アーム５３が使用されている。回動アーム５３は、上ガイド板５０のスリット５０ｄを通して上ガイド板５０上に突出し、回動軸５５で回動自在に支持されている。回動軸５５は、両端が、上ガイド板５０上に形成した一対の支持片５４によって支持される。そして、原稿４３が検知位置またはその近傍を通過するとき、回動アーム５３よりなるシート押さえ部材を自重による回動習性に抗して回動して、その回動アーム５３の回動習性に基づき下ガイド板５１に押し付けられて搬送される。
【００５６】
図５には、搬送シート検知装置のまたさらに他例を示し、（Ａ）は、検知手段であるレジストセンサ３６位置を原稿搬送方向と直交する方向から見た図であり、（Ｂ）は、原稿搬送方向下流側から見た図である。
【００５７】
この例では、シート押さえ部材として、図４に示す回動アーム５３ではなく、その先端に取り付けられた押さえコロ５６が使用されている。押さえコロ５６は、原稿搬送方向において検知位置とほぼ同じ位置に、回動アーム５３で支持する支軸５７を中心として回動可能に取り付けられる。そして、原稿４３が検知位置またはその近傍を通過するとき、押さえコロ５６を介して回動アーム５３を回動して、押さえコロ５６と下ガイド板５１の間に入れられ、回動アーム５３の回動習性に基づき押さえコロ５６によって下ガイド板５１に押し付けられて搬送される。
【００５８】
この例によれば、シート押さえ部材が、回動アーム５３の先端に回転可能に取り付けられた押さえコロ５６であり、その回動可能な押さえコロ５６によって搬送原稿４３が下ガイド板５１に押し付けて搬送されるので、搬送原稿４３の搬送負荷を低減することができる。
【００５９】
図６には、搬送シート検知装置のまたさらに他例を示し、検知手段であるレジストセンサ３６位置を原稿搬送方向と直交する方向から見た図である。
この例では、図５に示す押さえコロ５６がスポンジで構成されている。そして、搬送原稿４３が検知位置またはその近傍を通過するとき、スポンジで構成されている押さえコロ５６を介して回動アーム５３を回動して、押さえコロ５６と下ガイド板５１の間に入れられ、回動アーム５３の回動習性に基づき押さえコロ５６によって搬送原稿４３が下ガイド板５１に押し付けられて搬送される。
【００６０】
よって、搬送原稿４３が、スポンジで構成されている押さえコロ５６によって下ガイド板５１に押し付けられて搬送されるので、押さえコロ５６の変形を大きくして搬送原稿４３に対する押さえコロ５６の接触面積を多くし、押さえコロ５６によって広い範囲で搬送原稿４３を確実に押し付けて下ガイド板５１に沿わせて搬送し、レジストセンサ３６による搬送原稿４３の検知精度を高めることができる。
【００６１】
図７には、搬送シート検知装置のまたさらに他例を示し、検知手段であるレジストセンサ３６位置を原稿搬送方向と直交する方向から見た図である。
この例では、図６に示す例の回動軸５５にトーションスプリング５８が巻かれ、その一端が回動アーム５３に掛けられ、他端が支持片５４に掛けられて、押さえコロ５６を介して搬送原稿４３を押さえ付ける方向に回動アーム５３を付勢する付勢部材が備えられている。
【００６２】
そして、搬送原稿４３が検知位置またはその近傍を通過するとき、トーションスプリング５８による回動習性に抗して回動アーム５３を回動して、その回動アーム５３に加えられるトーションスプリング５８による回動習性に基づき下ガイド板５１に押し付けられて搬送される。よって、自重だけでなくトーションスプリング５８によっても回動アーム５３に回動習性が付与されているので、厚さの厚い原稿４３やカールの大きな原稿４３などでも、回動アーム５３が押し上げられることなく、搬送原稿４３を確実に押さえ付けて下ガイド板５１に沿わせて搬送し、レジストセンサ３６による搬送原稿４３の検知精度を高めることができる。
【００６３】
さて、上述した例では、図１に示す原稿搬送画像読取装置のレジストセンサ３６を検知手段として、この発明による搬送シート検知装置を適用した場合について説明したが、例えば原稿４３の後端を検知する排紙センサ４０を検知手段としても、この発明による搬送シート検知装置を適用することもできる。また、図１に示すような原稿搬送画像読取装置に、この発明による搬送シート検知装置を適用したが、画像形成装置などのシートを搬送するその他のシート搬送装置にも、この発明による搬送シート検知装置を適用することができる。このときは、搬送シートとして、用紙やＯＨＰシートなどが使用される。
【図面の簡単な説明】
【００６４】
【図１】この発明による搬送シート検知装置が備えられているシート搬送装置の一例である原稿搬送画像読取装置の全体概略構成図である。
【図２】図１に示す原稿搬送画像読取装置に備えられている搬送シート検知装置を示し、（Ａ）は、検知手段であるレジストセンサ位置を原稿搬送方向と直交する方向から見て示し、（Ｂ）は、原稿搬送方向下流側から見て示す拡大構成図である。
【図３】搬送シート検知装置の他例を示し、検知手段であるレジストセンサ位置を原稿搬送方向と直交する方向から見た拡大構成図である。
【図４】搬送シート検知装置のさらに他例を示し、（Ａ）は、検知手段であるレジストセンサ位置を原稿搬送方向と直交する方向から見た構成図であり、（Ｂ）は、原稿搬送方向下流側から見た構成図である。
【図５】搬送シート検知装置のまたさらに他例を示し、（Ａ）は、検知手段であるレジストセンサ位置を原稿搬送方向と直交する方向から見た構成図であり、（Ｂ）は、原稿搬送方向下流側から見た構成図である。
【図６】搬送シート検知装置のまたさらに他例を示し、検知手段であるレジストセンサ位置を原稿搬送方向と直交する方向から見た構成図である。
【図７】搬送シート検知装置のまたさらに他例を示し、検知手段であるレジストセンサ位置を原稿搬送方向と直交する方向から見た構成図である。
【図８】従来の搬送シート検知装置を示す構成図である。
【図９】従来の搬送シート検知装置の問題点を説明するための説明図である。
【符号の説明】
【００６５】
２５    原稿搬送路
３６    レジストセンサ（検知手段）
４０    排紙センサ（検知手段）
４３    原稿（搬送シート）
５０    ガイド板（案内部材）
５１    ガイド板（案内部材）
５２    弾性フィルム（シート押さえ部材）
５３    回動アーム（シート押さえ部材）
５６    押さえコロ（シート押さえ部材）
５８    トーションスプリング（付勢部材）
１００    画像読取装置
２００    自動原稿搬送装置（ＡＤＦ装置）
【図１】
2009256054.tif 000003
【図２】
2009256054.tif 000004
【図３】
2009256054.tif 000005
【図４】
2009256054.tif 000006
【図５】
2009256054.tif 000007
【図６】
2009256054.tif 000008
【図７】
2009256054.tif 000009
【図８】
2009256054.tif 000010
【図９】
2009256054.tif 000011